(57)【要約】【課題】液晶シャッターの中央部分を駆動させようと中央のパターンニング部分へ電線を配設すると電線の痕跡が透明電極を使用しても液晶層の存在により見た目で認識されてしまうので、改良が望まれていた。【解決手段】２枚の液晶シャッターＡ、Ｂを使用し、各液晶シャッターが凹凸になるように２次加工を行い、液晶層を取り除いた部分はＰＥＴ層とＩＴＯ膜層しかないため、光を透過することが可能となり、電極パターンを見た目で認識することがなくなる。【選択図】図３
2007215980.tif 000002
【特許請求の範囲】
【請求項１】
複数または多層の液晶シャッターを使用し、一面側から見て各液晶シャッターの液晶層が一面側あるいは他面側から見て、少なくとも見える領域で重ならない配置としたことを特徴とする液晶シャッター装置。
【請求項２】
請求項１の液晶シャッター装置において、前記各液晶シャッターが、前記液晶層が重ならない配置となるように各液晶層を備えることを特徴とする液晶シャッター装置。
【請求項３】
請求項１または２の液晶シャッター装置において、少なくとも一の前記各液晶シャッターの液晶層を複数部分に区画し、各区画ごとに液晶シャッターをオン・オフ可能としてなることを特徴とする液晶シャッター装置。
【請求項４】
請求項３の液晶シャッター装置において、液晶シャッターの液晶層を複数部分に区画するために、該液晶シャッターの一面側からは他方の面側のITO膜まで切断し、他方の面側からは、一方の面側の液晶層まで切断してなることを特徴とする液晶シャッター装置。
【請求項５】
請求項４の液晶シャッター装置において、少なくとも一方の前記切断を複数箇所で行ってなることを特徴とする液晶シャッター装置。
【請求項６】
請求項１から５のいずれかの液晶シャッター装置を用いてなることを特徴とする表示装置。
【請求項７】
請求項１から５のいずれかの液晶シャッター装置を用いてなることを特徴とする遊技機。
【請求項８】
請求項６の表示装置を用いてなることを特徴とする遊技機。
【発明の詳細な説明】
【技術分野】
【０００１】
本発明は、新規な構造を有する液晶シャッター装置、ならびにこれを用いた表示装置、遊技機に関する。
【背景技術】
【０００２】
液晶シャッターは、基本的には図１に示すように、中央の液晶層１をＩＴＯ膜層２とＰＥＴ層３とで挟み、電極４を介して外部電源から電源供給を行うようになっている。
【０００３】
遊技機等で液晶表示パネルと組合せて使われる液晶シャッターでは、液晶シャッターの中央部分を駆動させようとすることがあり、その場合、従来の液晶シャッターでは、例えば図２のようなパターンニング２次加工を行っていた。図中５は中央のパターンニング部分、６はその外周のパターンニング部分であり、７は中央のパターンニング部分へ接続する電線である。
【特許文献１】特開2005-185624号公報
【特許文献２】特開2005-21612号公報
【特許文献３】特開2005-65776号公報
【発明の開示】
【発明が解決しようとする課題】
【０００４】
このような従来の液晶シャッターでは、図１のような構造とした時、図２のようなパターンニング２次加工を行うと、最低でも電線パターン７の幅０．５ｍｍと、２本の電線７の間隔０．５ｍｍとで合計１．５ｍｍの痕跡が透明電極を使用しても液晶層の存在により見た目で認識されてしまうので、改良が望まれていた。
【０００５】
本発明は上述した従来の問題点にかんがみてなしたもので、パターンニング部分へ接続する電極パターンをほとんどあるいは全く目では見えないようにすることができる液晶シャッター装置と、これを用いた表示装置を提供することを目的とする。
【課題を解決するための手段】
【０００６】
請求項１に係る本発明の液晶シャッター装置は、複数の液晶シャッターを使用し、表面側から見て各液晶シャッターの液晶層が重ならないように配置したことを特徴とする。
【０００７】
同請求項２に係るものは、請求項１の液晶シャッター装置において、前記各液晶シャッターが、前記液晶層が重ならない配置となるように各液晶層を備えることを特徴とする。
【０００８】
同請求項３に係るものは、請求項１または２の液晶シャッター装置において、少なくとも一の前記各液晶シャッターの液晶層を複数部分に区画し、各区画ごとに液晶シャッターをオン・オフ可能としてなることを特徴とする。
【０００９】
同請求項４に係るものは、請求項３の液晶シャッター装置において、液晶シャッターの液晶層を複数部分に区画するために、該液晶シャッターの一面側からは他方の面側のITO膜まで切断し、他方の面側からは、一方の面側の液晶層まで切断してなることを特徴とする。
【００１０】
同請求項５に係るものは、請求項４の液晶シャッター装置において、少なくとも一方の前記切断を複数箇所で行ってなることを特徴とする。
【００１１】
同請求項６に係る表示装置は、請求項１から５のいずれかの液晶シャッター装置を用いてなることを特徴とする。
【００１２】
同請求項７に係る遊技機は、請求項１から５のいずれかの液晶シャッター装置を用いてなることを特徴とする。
【００１３】
同請求項８に係る遊技機は、請求項６の表示装置を用いてなることを特徴とする。
【発明の効果】
【００１４】
本発明は、複数の液晶シャッターを使用し、電極パターンを見た目で認識することがなくなる。
【発明を実施するための最良の形態】
【００１５】
以下本発明を実施するための最良の形態を、図に示す実施例を参照して説明する。なお以下において、液晶シャッターを２枚用いる例のみ図示し、説明するが、液晶シャッターは３枚以上用いても良く、本発明は図示の実施例には限定されない。また図示は省略するが、いわゆるパチスロやパチンコといった遊技機に利用可能であることは明白である。
【実施例１】
【００１６】
図３は本発明に係る液晶シャッターの一実施例の概念的斜視図である。本実施例の液晶シャッターは、いわば２枚の液晶シャッターＡ、Ｂを使用し、図示のように、各液晶シャッターＡ、Ｂが凹凸になるように構成する。
【００１７】
すなわち、一方の液晶シャッターＡは上層ＰＥＴ層１１、上層ＩＴＯ膜層１２、液晶層１３の中央部分Ｘが取り除いてあり、下側に下層ＩＴＯ膜層１４と下層ＰＥＴ層１５とがある。その平面図が図４である。また他方の液晶シャッターＢは、一方の液晶シャッターＡで取り除いた中央部分Ｘに対応する位置に、この取り除いた部分Ｘに対応する外形状の部分ｘと、そこから外方向へ突出する部分ｙとを有する上層ＰＥＴ層１６、上層ＩＴＯ膜層１７と、液晶シャッターＡの中央部分Ｘに対応する外形状部分のみとした液晶層１８を備え、その下側に下層ＩＴＯ膜層１９と下層ＰＥＴ層２０とがある。その平面図が図５である。
【００１８】
すなわち、他方の液晶シャッターＢでは、上層ＰＥＴ層１６はもちろん、液晶層１８をオン・オフさせるためのいわば電極配線たる上層ＩＴＯ膜層１７の突出部分ｙもともに透明であり、しかもその部分ｙには液晶層１８がなく、一方の液晶シャッターＡの液晶層１３を取り除いた中央部分Ｘは下層ＩＴＯ膜層１４と下層ＰＥＴ層１５しかないため光を透過する。
【００１９】
図６から良くわかるように、２枚の液晶シャッターＡ、Ｂの液晶層の無い部分を互いの液晶層１３、１８が補いあう形で２枚重ねすることで、一面側から見てあたかも１枚の液晶シャッターであるかのようにオンオフ動作することができ、かつ、実際には２枚の液晶シャッターＡ、Ｂを使用しているので、１枚ずつの独立的な動作制御も可能になり、図２のような電線パターン線を見た目で認識させることがなくなる。
【実施例２】
【００２０】
図７は本発明に係る液晶シャッターの他の実施例の概念的分解平面図、図８は後述する液晶シャッターＢのカット状態を示す図１相当の断面図である。液晶シャッターＡは、表裏両面それぞれのＰＥＴ層１１、１５の一部部分ｚ１、ｚ２を図示のように取り除き、露出するＩＴＯ膜層１２、１４間に配線して液晶層１３をオン・オフできるように配線してある。図中ｓｗはスイッチである。もちろんスイッチングのための配線は別途の形態でもかまわない。
【００２１】
一方、液晶シャッターＢは、液晶シャッターＡ（幅ａ×ｂ）の中央部分Ｘに対応する幅ａを３分割するように一方の面側からレーザ等でカットし、また直交する幅ｂ方向に対応するように離して、表裏両面からカットして、ＰＥＴ層１６、２０の一部部分を図示のように取り除き、露出するＩＴＯ膜層１７、１９間に配線して３区分した液晶層１８を、区分ｗ１、ｗ２、ｗ３それぞれ個別にオン・オフできるように配線してある。なお幅ａ方向を３分割するカットは図７中にａ１、ａ２と、幅ｂ方向を分割するカットは同じくｂ１、ｂ２としてある。図示の例では直線で示すカットラインは図の表面側からのカットであることを、点線で示すカットラインは図の裏面側からのカットであることを示す。
【００２２】
またなお、図では液晶層１８をオン・オフするための配線は一つのみ示すが、もちろん液晶層１８の区分数と同数の配線を行う。もちろんこちらの液晶シャッターでもスイッチングのための配線は別途の形態でかまわない
【００２３】
上述のように構成した液晶シャッターＡ、Ｂを組み合わさせる状態を示す。実際にこのような液晶シャッター装置を使用する場合には、前面側に液晶パネルをおいて図柄等々を表示させるのであるが、液晶層１８の区分ｗ１、ｗ２、ｗ３をオン・オフさせることにより、液晶シャッター装置の背面側にあるものを前面の液晶パネル側から見えたり、見えなくなったりさせることができるようになる。
【図面の簡単な説明】
【００２４】
【図１】液晶シャッターの基本的構成を示す断面図
【図２】液晶シャッターの中央にパターンニング部分を持つ例を示す平面図
【図３】本発明に係る液晶シャッターの一実施例の概念的斜視図
【図４】中央部分が取り除いてある液晶シャッターの平面図
【図５】図４の液晶シャッターの取り除いてある部分に対応する形状で液晶層等を有する液晶シャッターの平面図
【図６】実施例１の動作原理を説明するための分解図
【図７】本発明に係る液晶シャッターの他の実施例の概念的分解平面図
【図８】液晶シャッターＢのカット状態を示す図１相当の断面図
【符号の説明】
【００２５】
Ａ、Ｂ  液晶シャッター
１１  上層ＰＥＴ層
１２  上層ＩＴＯ膜層
１３  液晶層
１４  下層ＩＴＯ膜層
１５  下層ＰＥＴ層
１６  上層ＰＥＴ層
１７  上層ＩＴＯ膜層
１８  液晶層
１９  下層ＩＴＯ膜層
２０  下層ＰＥＴ層
２１  電極配線
Ｘ  取り除いた中央部分
ｗ１、ｗ２、ｗ３  液晶層１８の区分
【図１】
2007215980.tif 000003
【図２】
2007215980.tif 000004
【図３】
2007215980.tif 000005
【図４】
2007215980.tif 000006
【図５】
2007215980.tif 000007
【図６】
2007215980.tif 000008
【図７】
2007215980.tif 000009
【図８】
2007215980.tif 000010